(57)【要約】【課題】浄水器カートリッジの交換作業を簡単に行うことができる浄水器カートリッジの設置構造を得る。【解決手段】浄水器カートリッジの設置構造４０は、浄水器カートリッジ４２と、引出部材４４とを有する。浄水器カートリッジ４２は、浄水器２８に接続され水を浄化する。引出部材４４は、浄水器カートリッジ４２が載置される載置部５０を備え、流し台ユニット１２のシンク２４、天板２２Ｃ及び側板２２Ｂに囲まれた空間部２９から該流し台ユニット１２の手前側に一方向に引き出される。【選択図】図３
2018009424.tif 000002
【特許請求の範囲】
【請求項１】
浄水器に接続される浄水器カートリッジと、
前記浄水器カートリッジが載置される載置部を備え、流し台ユニットの流し台、天板及び側板に囲まれた空間部から該流し台ユニットの手前側に一方向に引き出される引出部材と、
を有する浄水器カートリッジの設置構造。
【請求項２】
前記空間部における前記浄水器カートリッジよりも前記手前側には、前記手前側に引出し可能とされた手前側引出部材が設けられている請求項１に記載の浄水器カートリッジの設置構造。
【請求項３】
前記空間部には、前記手前側引出部材が設定長さ以上に引出されるのを規制する規制位置と、前記引出部材及び前記手前側引出部材が引出し可能となる解除位置とに移動可能とされた規制部材が設けられている請求項２に記載の浄水器カートリッジの設置構造。
【発明の詳細な説明】
【技術分野】
【０００１】
本発明は、浄水器カートリッジの設置構造に関する。
【背景技術】
【０００２】
特許文献１の浄水器の取付構造では、流し台の収納キャビネット内に外装部が固定され、該外装部内に内装部が昇降自在に装着されている。内装部には、濾過カートリッジを収容するケースが取付けられている。そして、ケースを引き下げてから手前側に濾過カートリッジを取り外す構成とされている。
【先行技術文献】
【特許文献】
【０００３】
【特許文献１】特開２０１５−９６２４４号公報
【発明の概要】
【発明が解決しようとする課題】
【０００４】
特許文献１の構成では、濾過カートリッジの交換作業を行う場合に、濾過カートリッジを流し台の前後方向に移動させてケースに取付ける作業と、内装部を上下方向に上昇させる作業との二方向の作業が必要となる。この二方向の作業は、同時に行うことが困難である。換言すると、浄水器カートリッジの交換作業を簡単に行うには、改善の余地がある。
【０００５】
本発明は、浄水器カートリッジの交換作業を簡単に行うことができる浄水器カートリッジの設置構造を得ることが目的である。
【課題を解決するための手段】
【０００６】
第１態様に係る浄水器カートリッジの設置構造は、浄水器に接続される浄水器カートリッジと、前記浄水器カートリッジが載置される載置部を備え、流し台ユニットの流し台、天板及び側板に囲まれた空間部から該流し台ユニットの手前側に一方向に引き出される引出部材と、を有する。
【０００７】
第１態様に係る浄水器カートリッジの設置構造では、浄水器カートリッジを交換する場合に、引出部材が空間部から流し台よりも手前側に一方向に引出される。そして、引出部材に設けられた載置部に浄水器カートリッジが載置された後で、引出部材が空間部に向けて一方向に押入れられる。このように、引出部材を一方向に引出し又は押入れることで浄水器カートリッジが交換されるので、浄水器カートリッジの交換作業を簡単に行うことができる。
【０００８】
第２態様に係る浄水器カートリッジの設置構造の前記空間部における前記浄水器カートリッジよりも前記手前側には、前記手前側に引出し可能とされた手前側引出部材が設けられている。
【０００９】
第２態様に係る浄水器カートリッジの設置構造では、浄水器カートリッジの前後方向の長さが空間部の前後方向の長さよりも短く、空間部における浄水器カートリッジの手前側に空き空間ができた場合に、該空き空間に手前側引出部材が設けられる。ここで、手前側引出部材が手前側に引出されることにより、引出部材が手前側に向けて露出される。そして、引出部材が手前側に引出され、浄水器カートリッジが交換される。このように、空間部における引出部材よりも手前側の空き空間を物品の収容場所として活用できるので、空間部の空き空間を有効利用することができる。
【００１０】
第３態様に係る浄水器カートリッジの設置構造の前記空間部には、前記手前側引出部材が設定長さ以上に引出されるのを規制する規制位置と、前記引出部材及び前記手前側引出部材が引出し可能となる解除位置とに移動可能とされた規制部材が設けられている。
【００１１】
第３態様に係る浄水器カートリッジの設置構造では、浄水器カートリッジの交換作業を行わない場合に、規制部材が規制位置に配置される。これにより、手前側引出部材が設定長さ以上に引出されることが規制されるので、手前側引出部材を手前側に引出した場合に手前側引出部材が空間部から外れるのを抑制することができる。一方、浄水器カートリッジの交換作業を行う場合には、規制部材を解除位置に移動させるだけでよいので、簡単な構成で引出部材及び手前側引出部材を手前側に引出すことができる。
【発明の効果】
【００１２】
第１態様に係る化粧材の取付構造では、浄水器カートリッジの交換作業を簡単に行うことができるという優れた効果を有する。
【００１３】
第２態様に係る化粧材の取付構造では、空間部の空き空間を有効利用することができるという優れた効果を有する。
【００１４】
第３態様に係る化粧材の取付構造では、手前側引出部材を手前側に引出した場合に手前側引出部材が空間部から外れるのを抑制することができると共に簡単な構成で引出部材及び手前側引出部材を手前側に引出すことができるという優れた効果を有する。
【図面の簡単な説明】
【００１５】
【図１】第１実施形態に係る浄水器カートリッジの設置構造が用いられたシステムキッチンの正面図である。
【図２】（Ａ）第１実施形態に係るシステムキッチンの側面図である。（Ｂ）第１実施形態に係る浄水器と水栓との接続状態を示す説明図である。
【図３】第１実施形態に係る浄水器カートリッジの設置構造を示す斜視図である。
【図４】（Ａ）第１実施形態に係る浄水器カートリッジの設置構造を側方から見た状態を示す縦断面図である。（Ｂ）第１実施形態に係る浄水器カートリッジの設置構造を手前側から見た状態を示す縦断面図である。
【図５】（Ａ）第１実施形態に係る引出部材及び浄水器カートリッジを示す斜視図である。（Ｂ）第１実施形態に係る手前側引出部材を示す斜視図である。
【図６】（Ａ）第１実施形態に係る手前側引出部材を手前側に引出す状態を示す説明図である。（Ｂ）第１実施形態に係る引出部材を手前側に引出して浄水器カートリッジを取外す状態を示す説明図である。
【図７】（Ａ）第２実施形態に係る浄水器カートリッジの設置構造の側面図である。（Ｂ）第２実施形態に係る浄水器カートリッジの設置構造を手前側から見た状態を示す縦断面図である。
【図８】（Ａ）第２実施形態に係る手前側引出部材の引出しが規制部材により規制される状態を示す説明図である。（Ｂ）第２実施形態に係る規制部材が手前側引出部材を乗越える途中の状態を示す説明図である。（Ｃ）第２実施形態に係る規制部材による手前側引出部材の規制が解除された状態を示す説明図である。
【図９】（Ａ）第１変形例に係る浄水器カートリッジの設置構造を示す説明図である。（Ｂ）第２変形例に係る引出部材を示す斜視図である。
【発明を実施するための形態】
【００１６】
[第１実施形態]
第１実施形態に係る浄水器カートリッジの設置構造の一例について説明する。
【００１７】
図１には、システムキッチン１０が示されている。システムキッチン１０は、一例として、直線状に並んだ流し台ユニット１２、食器洗いユニット１３、第１収納ユニット１４、コンロユニット１５及び第２収納ユニット１６（図２（Ａ）参照）を有する。なお、以後の説明では、システムキッチン１０を使用者が使う側から正面視して、左右方向をＸ方向、高さ方向をＹ方向、前後方向（奥行方向）をＺ方向と称する。Ｘ方向、Ｙ方向及びＺ方向は、互いに直交する。また、手前側、奥側は、Ｚ方向における手前側、奥側を意味する。
【００１８】
＜流し台ユニット＞
流し台ユニット１２は、ユニット本体２２と、流し台の一例としてのシンク２４と、水栓２６と、浄水器２８と、キャビネット３２と、後述する浄水器カートリッジの設置構造４０とを含んで構成されている。
【００１９】
ユニット本体２２は、底板２２Ａと、一対の側板２２Ｂと、天板２２Ｃと、前板２２Ｄと、図示しない後板とを有している。底板２２Ａは、Ｙ方向に見て、Ｘ方向を長手方向としＺ方向を短手方向とする矩形状に形成されており、Ｘ−Ｚ面に沿って延在している。一対の側板２２Ｂは、底板２２ＡのＸ方向両端部でＹ−Ｚ面に沿って直立しており、Ｘ方向に対向している。また、一対の側板２２Ｂは、Ｘ方向に見て、Ｚ方向を長手方向としＹ方向を短手方向とする矩形状に形成されている（図２（Ａ）参照）。
【００２０】
図３に示す天板２２Ｃは、Ｙ方向に見て、Ｘ方向を長手方向としＺ方向を短手方向とする矩形状に形成されており、Ｘ−Ｚ面に沿って延在している。また、図４（Ｂ）に示すように、天板２２Ｃの一部には、Ｙ方向に貫通した貫通孔２３が形成されている。貫通孔２３の内壁からＸ方向の一端部（図示の左端）の側板２２Ｂまでは、予め設定された距離だけ離れている。これは、シンク２４の取付け代が必要であること、側板２２Ｂにシンク２４を接触させると側板２２Ｂが湿気により傷みやすいこと等の理由による。
【００２１】
図１に示す前板２２Ｄは、天板２２ＣのＺ方向の手前側端部からＹ方向下側に向けて延びている。また、前板２２Ｄは、Ｚ方向に見て、Ｘ方向を長手方向としＹ方向を短手方向とする矩形状に形成されており、シンク２４よりもＺ方向の手前側でＸ−Ｙ面に沿って延在している。なお、前板２２ＤのＸ方向の一端部（図示の左端部）から側板２２Ｂまでは、予め設定された距離だけ離れている。前板２２ＤのＹ方向下側には、後述するキャビネット３２が配置されている。
【００２２】
（シンク）
図４（Ｂ）に示すシンク２４は、天板２２ＣのＹ方向の上面に取付けられる周縁部２４Ａと、周縁部２４ＡからＹ方向下側に延在する側壁部２４Ｂと、側壁部２４ＢのＹ方向下端部からＸ−Ｚ面に沿って延在する底壁部２４Ｃとを有する。周縁部２４Ａは、Ｙ方向に見て枠状に形成されている。側壁部２４Ｂは、Ｙ方向に見て、Ｘ方向及びＺ方向を囲む筒状に形成されている。底壁部２４Ｃは、側壁部２４ＢのＹ方向の下端部を塞いでいる。つまり、シンク２４は、Ｙ方向の上側に向けて開口する有底の箱状に形成されている。図３に示すように、底壁部２４Ｃには、排水口２５が形成されている。排水口２５は、Ｙ方向に延びる排水パイプ２７（図２（Ａ）参照）の上端部に繋がっている。
【００２３】
図４（Ｂ）に示すように、Ｘ方向の一端側の側壁部２４Ｂとユニット本体２２のＸ方向の一端側の側板２２Ｂとは、既述の理由により、予め設定された距離だけ離れている。言い換えると、シンク２４の側方には、シンク２４の側壁部２４Ｂ、天板２２Ｃ及び側板２２Ｂに囲まれた空間部２９が形成されている。空間部２９は、いわゆるデッドスペースである。空間部２９のＹ方向の下側には、後述するキャビネット３２（図１参照）の一部が配置される。
【００２４】
また、ユニット本体２２の空間部２９には、一例として、底壁３９Ａ及び縦壁３９Ｂが設けられている。底壁３９Ａは、Ｚ方向に見て、側板２２ＢからＸ方向に沿ってシンク２４に向けて延びる平板状に形成されている。縦壁３９Ｂは、Ｚ方向に見て、底壁３９Ａの側板２２Ｂ側とは反対側（シンク２４側）の端部でＹ方向に沿って直立する平板状に形成されている。
【００２５】
（水栓）
図２（Ｂ）に示す水栓２６は、天板２２Ｃにおけるシンク２４（図２（Ａ）参照）よりもＺ方向の奥側に設けられている。また、水栓２６は、切換弁２６Ａと、切換弁２６Ａを操作するための操作レバー２６Ｂと、蛇口２６Ｃとを有する。切換弁２６Ａには、図示しない水供給部から水が流れる配管２６Ｄと、図示しない温水供給部から温水が流れる配管２６Ｅとが接続されている。そして、操作レバー２６Ｂによって切換弁２６Ａが切換えられることにより、水の流出、温水の流出及び流路の閉止のいずれかの状態に切換わるようになっている。配管２６Ｄの流路の途中には、分岐部２６Ｆが設けられている。
【００２６】
分岐部２６Ｆには、分岐管３１の一端が接続されている。分岐管３１は、一例として、図示しない一部が撓んだ状態で配置されており、水が流れる方向に沿った伸縮が可能とされている。分岐管３１の他端は、後述する浄水器カートリッジ４２に接続されている。なお、図２（Ｂ）では、各部材の配置関係を分かり易く示すために、浄水器カートリッジ４２が縦置きとなっているが、浄水器カートリッジ４２は、実際は、Ｚ方向に沿った横置きとなっている。
【００２７】
（浄水器）
浄水器２８は、浄水器本体３４と、配管３５と、浄水器カートリッジ４２とを含んで構成されている。浄水器本体３４は、天板２２Ｃにおけるシンク２４（図２（Ａ）参照）よりもＺ方向の奥側に設けられている。また、浄水器本体３４には、水の供給及び供給停止を操作するための操作レバー３４Ａが設けられている。さらに、浄水器本体３４には、配管３５の一端が接続されている。配管３５は、一例として、図示しない一部が撓んだ状態で配置されており、水が流れる方向に沿った伸縮が可能とされている。配管３５の他端は、後述する浄水器カートリッジ４２に接続されている。
【００２８】
（キャビネット）
図１に示すように、キャビネット３２は、台所用品等を収納する箱状に形成された収納戸棚であり、前板２２ＤよりもＹ方向の下側で、ユニット本体２２に対してＺ方向の手前側及び奥側に引出し可能に設けられている。具体的には、キャビネット３２は、ユニット本体２２に設けられた図示しないガイドレールにより支持及び案内されることで、Ｚ方向に引出し可能とされている。キャビネット３２におけるＺ方向の手前側には、前板３２Ａが配置されている。前板３２Ａは、前板２２Ｄと面が揃えられている。また、前板３２Ａは、ユニット本体２２における、Ｘ方向の一端から他端まで延在している。さらに、前板３２Ａには、キャビネット３２をＺ方向の手前側に引出すための取手３２Ｂが設けられている。
【００２９】
〔要部構成〕
次に、浄水器カートリッジの設置構造４０について説明する。
【００３０】
図４（Ａ）に示すように、浄水器カートリッジの設置構造４０は、一例として、浄水器カートリッジ４２と、引出部材４４と、手前側引出部材４６とを有する。
【００３１】
＜浄水器カートリッジ＞
浄水器カートリッジ４２は、一例として、１年に１回程度の頻度で交換されるものであり、本体部４２Ａ及び接続部４２Ｂを含んで構成されている。本体部４２Ａは、円筒状に形成されており、軸方向の一端側が閉じられた有底の部材とされている。本体部４２Ａの内部には、活性炭等を含む図示しない濾過材（フィルタ）が設けられている。接続部４２Ｂは、本体部４２Ａの軸方向の他端側に設けられている。
【００３２】
接続部４２Ｂの内部は、図示しない仕切板によって、分岐管３１に接続される部屋と配管３５に接続される部屋とに区分されている。また、接続部４２Ｂの一部は、接続部４２Ｂの他の部位に対して軸方向を中心として相対回転可能とされ後述する被接続部４３に螺合される螺合部とされている。つまり、接続部４２Ｂは、被接続部４３への接続及び接続解除が可能な構成であり、かつ分岐管３１内の水と配管３５内の水とが混ざらない構成とされている。なお、接続部４２Ｂには、水漏れを防ぐ図示しないパッキンが設けられている。
【００３３】
浄水器カートリッジ４２は、一例として、被接続部４３に接続された後で、Ｚ方向を軸方向とする横置き状態で使用されるようになっている。そして、浄水器カートリッジ４２は、分岐管３１から送られてきた水を内部の活性炭等により浄化（濾過）して、配管３５を経由して浄水器２８に供給するようになっている。なお、浄水器カートリッジ４２のＺ方向の長さは、空間部２９のＺ方向の長さよりも短い。このため、空間部２９における浄水器カートリッジ４２よりも手前側に空き空間が形成されている。この空き空間には、後述する手前側引出部材４６が配置されている。
【００３４】
＜引出部材＞
引出部材４４は、底板４４Ａ、後板４４Ｂ、縦板４４Ｃ、支持板４４Ｄ、側板４４Ｅ及び側板４４Ｆ（図４（Ｂ）参照）により構成されている。なお、底板４４Ａと支持板４４Ｄは一体となっているが、機能を区別するために底板４４Ａと支持板４４Ｄとに分けて説明する。引出部材４４には、接続部４２Ｂが接続される被接続部４３と、浄水器カートリッジ４２を保持する板バネ４７とが設けられている。
【００３５】
底板４４Ａは、Ｙ方向に見て、Ｚ方向を長手方向としＸ方向を短手方向とする矩形状に形成されている。底板４４ＡのＺ方向の長さは、底壁３９ＡのＺ方向の長さよりも短い。また底板４４ＡのＸ方向の長さは、側板２２Ｂと縦壁３９Ｂ（図４（Ｂ）参照）とのＸ方向の間隔よりも短い。底板４４ＡのＹ方向の上面には、板バネ４７がＺ方向に間隔をあけて取り付けられている。板バネ４７は、Ｚ方向に見てＹ方向の上側に開校した半円筒状に形成されている。また、板バネ４７は、浄水器カートリッジ４２の本体部４２Ａが嵌る大きさとされている。なお、底板４４Ａにおける板バネ４７が取り付けられた部位を、浄水器カートリッジ４２が載置される載置部５０と称する。
【００３６】
後板４４Ｂは、底板４４ＡのＺ方向の奥側端部からＹ方向に沿って直立している。また、後板４４Ｂには、Ｘ方向の中央でＹ方向の上端部から中央部にかけて切り欠かれたスリット４５が形成されている。スリット４５のＸ方向の長さ（間隔）は、分岐管３１及び配管３５が挿通する長さとされている。後板４４ＢのＺ方向の手前側でかつ板バネ４７よりも奥側には、被接続部４３が配置されている。
【００３７】
被接続部４３は、図示しないブラケットにより支持され、底板４４ＡよりもＹ方向の上側に配置されている。被接続部４３の内部は、図示しない仕切板によって、分岐管３１が接続された部屋と、配管３５が接続された部屋とに区分されている。また、被接続部４３は、接続部４２Ｂの回転可能な部位と螺合可能に構成されている。
【００３８】
縦板４４Ｃは、底板４４ＡのＺ方向の手前側端部にＹ方向に沿って直立している。縦板４４ＣのＹ方向の高さと後板４４ＢのＹ方向の高さとは、揃えられており、浄水器カートリッジ４２のＹ方向の高さよりも高い。また、縦板４４Ｃと後板４４ＢとのＺ方向の間隔は、浄水器カートリッジ４２のＺ方向の長さよりも長い。
【００３９】
図５（Ａ）に示すように、側板４４Ｅ及び側板４４Ｆは、底板４４ＡのＸ方向の両端部からＹ方向に直立している。また、側板４４Ｅ及び側板４４ＦのＹ方向の高さは、後板４４Ｂ、縦板４４ＣのＹ方向の高さと揃えられている。さらに、側板４４Ｅ及び側板４４Ｆは、後板４４ＢのＸ方向両端部と縦板４４ＣのＸ方向両端部とを繋いでいる。このように、引出部材４４には、Ｙ方向の上側に開口した箱状の部位が形成されている。そして、浄水器カートリッジ４２は、載置部５０に載置された状態において、引出部材４４の箱状の部位に収納されるようになっている。
【００４０】
支持板４４Ｄは、Ｙ方向を厚さ方向として、底板４４ＡのＺ方向の手前側端部でかつ縦板４４ＣのＹ方向下端部からＺ方向の手前側に延びている。また、支持板４４Ｄは、Ｙ方向に見て、Ｚ方向を長手方向としＸ方向を短手方向とする矩形状に形成されている。支持板４４ＤのＸ方向の長さ（幅）は、底板４４ＡのＸ方向の長さと同じ長さである。支持板４４ＤのＺ方向の長さは、引出部材４４を空間部２９（図４（Ａ）参照）に収納した状態において、支持板４４ＤのＺ方向の手前側端部が、前板３２Ａ（図４（Ａ）参照）よりもＺ方向の奥側に位置する長さとされている。
【００４１】
支持板４４ＤのＸ方向中央でかつＺ方向の中央よりも手前側には、操作部５２が形成されている。操作部５２は、一例として、支持板４４ＤをＹ方向に貫通した貫通孔の縁部であり、図示しない使用者により把持される把持部として構成されている。言い換えると、操作部５２が把持されることにより、引出部材４４のＺ方向の手前側への引出し操作が可能となる。なお、操作部５２は、貫通孔に換えて有底の穴部で構成されてもよい。
【００４２】
図４（Ａ）に示すように、底板４４Ａ及び支持板４４Ｄは、空間部２９の底壁３９Ａに載せられている。ここで、図４（Ｂ）に示すように、底板４４Ａは、側板２２Ｂ及び縦壁３９Ｂにより挟まれているため、Ｘ方向の移動が規制される。これにより、引出部材４４は、空間部２９から流し台ユニット１２のＺ方向の手前側に一方向（Ｚ方向）に引き出し可能となっている。なお、空間部２９における後板４４ＢよりもＺ方向の奥側の部位には、図示しないストッパが設けられている。引出部材４４は、このストッパに接触することで、Ｚ方向の奥側に必要以上に移動することが規制される。
【００４３】
＜手前側引出部材＞
図５（Ｂ）に示すように、手前側引出部材４６は、底板４６Ａ、後板４６Ｂ、前板４６Ｃ、側板４６Ｄ及び側板４４Ｅにより構成されており、Ｙ方向の上側に開口した箱状に形成されている。
【００４４】
底板４６Ａは、Ｙ方向に見て、Ｚ方向を長手方向としＸ方向を短手方向とする矩形状に形成されている。また、図４（Ａ）に示すように、底板４６ＡのＺ方向の長さは、支持板４４ＤのＺ方向の長さよりも短い。底板４６ＡのＸ方向の長さは、支持板４４ＤのＸ方向の長さとほぼ同じ長さとされている。
【００４５】
後板４６Ｂは、底板４６ＡのＺ方向の奥側端部からＹ方向に沿って直立している。また、後板４６ＢのＹ方向の高さは、支持板４４Ｄに底板４６Ａを載せたときに、後板４６ＢのＹ方向の上面と、縦板４４ＣのＹ方向の上面とがほぼ揃う高さとされている。
【００４６】
前板４６Ｃは、底板４６ＡのＺ方向の手前側端部からＹ方向の上側及び下側に延びている。前板４６ＣのＹ方向の上面と、後板４６ＢのＹ方向の上面とは、ほぼ同じ高さに揃えられている。また、前板４６ＣのＹ方向の下面から底板４６ＡのＹ方向の下面までの高さは、支持板４４ＤのＹ方向の高さ（厚さ）とほぼ同じにされている。これにより、支持板４４Ｄに手前側引出部材４６を載せた状態で、手前側引出部材４６をＺ方向の奥側へ押込んだときに、支持板４４ＤのＺ方向の手前側の面が前板４６Ｃによって覆われるようになっている。前板４６ＣのＺ方向の手前側の面には、取手４９が設けられている。
【００４７】
図５（Ｂ）に示すように、側板４６Ｄ及び側板４６Ｅは、底板４６ＡのＸ方向の両端部からＹ方向に直立している。また、側板４６Ｅ及び側板４６ＦのＹ方向の高さは、後板４６Ｂ、前板４６ＣのＹ方向の高さと揃えられている。さらに、側板４６Ｅ及び側板４６Ｆは、後板４６ＢのＸ方向両端部と前板４６ＣのＸ方向両端部とを繋いでいる。このように、手前側引出部材４６は、Ｙ方向の上側に開口した箱状に形成されており、内部に台所用品等を収納可能となっている。
【００４８】
＜浄水器カートリッジの設置＞
図４（Ａ）に示す空間部２９において、分岐管３１及び配管３５がＺ方向に伸ばされた状態で、被接続部４３が分岐管３１及び配管３５に接続される。そして、引出部材４４が底壁３９Ａに載せられ、被接続部４３が図示しないブラケットを介して引出部材４４に取付けられる。続いて、接続部４２Ｂが被接続部４３に螺合（接続）されると共に、本体部４２Ａが板バネ４７に嵌められる。これにより、浄水器カートリッジ４２が載置部５０に載置される。
【００４９】
続いて、引出部材４４の操作部５２が把持され、Ｚ方向の奥側に押込まれる（操作される）ことにより、浄水器カートリッジ４２が、空間部２９におけるＺ方向の奥側に設置される。このとき、分岐管３１及び配管３５は、収縮するため、引出部材４４の押込みの邪魔にならない。なお、引出部材４４は、図示しないストッパと接触するため、Ｚ方向の奥側に必定以上に押込まれない。
【００５０】
続いて、手前側引出部材４６が、支持板４４Ｄに載せられると共にＺ方向の奥側に向けて押込まれる。これにより、空間部２９における浄水器カートリッジ４２よりも手前側に、手前側引出部材４６が設けられる。ここで、Ｚ方向に見て、操作部５２が手前側引出部材４６により覆われる。このため、操作部５２がＺ方向の手前側に露出する構成に比べて、流し台ユニット１２の意匠性の低下が抑制される。なお、手前側引出部材４６は、引出部材４４に対してＺ方向に相対移動が可能となっているので、手前側引出部材４６のみをＺ方向に引出し又は押込みできる。
【００５１】
〔作用〕
次に、第１実施形態の作用について説明する。
【００５２】
＜浄水器カートリッジの交換＞
図６（Ａ）に示すように、浄水器カートリッジ４２を交換する場合は、取手４９が把持され、手前側引出部材４６が空間部２９からシンク２４よりもＺ方向の手前側に一方向に引出される。これにより、空間部２９から手前側引出部材４６が取除かれ、引出部材４４の操作部５２がＺ方向の手前側に露出される。
【００５３】
続いて、図６（Ｂ）に示すように、操作部５２が引出し操作されることで、引出部材４４が空間部２９からシンク２４よりもＺ方向の手前側に一方向に引出される。これにより、浄水器カートリッジ４２がＺ方向の手前側に露出され、浄水器カートリッジ４２の取外しが可能となる。続いて、被接続部４３と接続部４２Ｂとの螺合が解除され、本体部４２Ａが板バネ４７から取外されることにより、浄水器カートリッジ４２が載置部５０から取外される。
【００５４】
続いて、既述のように、載置部５０に新しい浄水器カートリッジ４２が載置された後で、引出部材４４が空間部２９に向けて（Ｚ方向の奥側へ）一方向に押入れられる。そして、図４（Ａ）に示すように、手前側引出部材４６が支持板４４Ｄに載せられ、Ｚ方向の奥側に押込まれる。
【００５５】
以上、説明したように、浄水器カートリッジの設置構造４０では、引出部材４４を一方向に引出し又は押入れることで浄水器カートリッジ４２が交換される。このため、浄水器カートリッジ４２を複数の方向に移動して交換する構成に比べて、浄水器カートリッジ４２の交換作業を簡単に行うことができる。また、浄水器カートリッジの設置構造４０では、大型のキャビネット３２（図１参照）を手前側に引出すことなく、浄水器カートリッジ４２を単独で交換できるので、浄水器カートリッジ４２の交換作業を簡単に行うことができる。
【００５６】
さらに、浄水器カートリッジの設置構造４０では、シンク２４の側方の空間部２９を利用して浄水器カートリッジ４２を設置しているため、浄水器カートリッジ４２がキャビネット３２の一部の空間を占有することがなくなる。これにより、キャビネット３２の内部に浄水器カートリッジ４２を設置する構成に比べて、キャビネット３２の収納量が減るのを抑制することができる。
【００５７】
また、図６（Ａ）に示すように、浄水器カートリッジの設置構造４０では、空間部２９における浄水器カートリッジ４２の手前側の空き空間に、手前側引出部材４６が設けられている。これにより、手前側引出部材４６を物品の収容場所として活用できるので、空間部２９の空き空間を有効利用することができる。
【００５８】
[第２実施形態]
次に、本発明の第２実施形態に係る浄水器カートリッジの設置構造の一例について説明する。なお、前述した第１実施形態と基本的に同一の部材、部位には、前記第１実施形態と同一の符号を付与してその説明を省略する。
【００５９】
図７（Ａ）には、第２実施形態に係る浄水器カートリッジの設置構造６０が示されている。浄水器カートリッジの設置構造６０は、一例として、浄水器カートリッジ４２と、引出部材６２と、手前側引出部材６４と、規制部材７８とを有する。なお、本実施形態では、空間部２９において、底壁３９Ａ（図４（Ｂ）参照）が取除かれ、縦壁３９Ｂ（図４（Ｂ）参照）が天板２２Ｃに固定されている。また、側板２２Ｂ及び縦壁３９Ｂ（図４（Ｂ）参照）には、Ｘ方向に一対のガイドレール６６、６８が取付けられている。なお、図７（Ａ）では、シンク２４及び浄水器２８（図３参照）の図示を省略している。
【００６０】
一対のガイドレール６６は、Ｚ方向に見て、Ｘ方向の対向する側に開口された断面Ｕ字状に形成されており、Ｚ方向に延設されている。また、一対のガイドレール６６は、後述する手前側引出部材６４をＺ方向に案内する。一対のガイドレール６８は、一対のガイドレール６６よりもＹ方向の下側に配置されている。また、一対のガイドレール６８は、Ｚ方向に見て、Ｘ方向の対向する側に開口された断面Ｕ字状に形成されており、Ｚ方向に延設されている。さらに、一対のガイドレール６８は、後述する引出部材６２をＺ方向に案内する。
【００６１】
＜引出部材＞
図７（Ａ）及び図７（Ｂ）に示すように、引出部材６２は、底板６２Ａ、後板６２Ｂ、縦板６２Ｃ、支持板６２Ｄ、側板６２Ｅ及び側板６２Ｆにより構成されている。なお、底板６２Ａと支持板６２Ｄは一体となっているが、機能を区別するために底板６２Ａと支持板６２Ｄとに分けて説明する。引出部材６２には、被接続部４３及び板バネ４７が設けられている。
【００６２】
底板６２Ａは、Ｙ方向に見て、Ｚ方向を長手方向としＸ方向を短手方向とする矩形状に形成されている。底板６２ＡのＺ方向の長さは、空間部２９に収まる長さとされている。また底板６２ＡのＸ方向の長さは、一対のガイドレール６８によって支持される長さとされている。底板６２ＡのＹ方向の上面には、板バネ４７が取り付けられている。なお、底板６２Ａにおける板バネ４７が取り付けられた部位を、浄水器カートリッジ４２が載置される載置部７０と称する。
【００６３】
後板６２Ｂは、底板６２ＡのＺ方向の奥側端部からＹ方向に沿って直立している。また、後板６２Ｂには、スリット４５が形成されている。後板６２ＢのＺ方向の手前側でかつ板バネ４７よりも奥側には、被接続部４３が配置されている。
【００６４】
図７（Ａ）に示すように、縦板６２Ｃは、底板６２ＡのＺ方向の手前側端部にＹ方向に沿って直立している。縦板６２ＣのＹ方向の高さと後板６２ＢのＹ方向の高さとは、揃えられており、浄水器カートリッジ４２のＹ方向の高さよりも高い。また、縦板６２Ｃと後板６２ＢとのＺ方向の間隔は、浄水器カートリッジ４２のＺ方向の長さよりも長い。
【００６５】
図７（Ｂ）に示すように、側板６２Ｅ及び側板６２Ｆは、底板６２ＡのＸ方向の両端部よりも中央側の部位でＹ方向に直立している。言い換えると、底板６２Ａは、側板６２Ｅ及び側板６２ＦよりもＸ方向の外側に張出されている。ここで、底板６２Ａにおける側板６２Ｅ及び側板６２ＦよりもＸ方向の外側に張出された部位を張出部６２Ｇとする。張出部６２Ｇは、ガイドレール６８によって支持及び案内される。
【００６６】
側板６２Ｅ及び側板６２ＦのＹ方向の高さは、後板６２Ｂ、縦板６２Ｃ（図７（Ａ）参照）のＹ方向の高さと揃えられている。さらに、側板６２Ｅ及び側板６２Ｆは、後板６２ＢのＸ方向両端部と縦板６２ＣのＸ方向両端部とを繋いでいる。このように、引出部材６２には、Ｙ方向の上側に開口した箱状の部位が形成されている。そして、浄水器カートリッジ４２は、載置部７０に載置された状態において、引出部材６２の箱状の部位に収納されるようになっている。
【００６７】
図７（Ａ）に示すように、支持板６２Ｄは、Ｙ方向を厚さ方向として、底板６２ＡのＺ方向の手前側端部でかつ縦板６２ＣのＹ方向下端部からＺ方向の手前側に延びている。また、支持板６２Ｄは、Ｙ方向に見て、Ｚ方向を長手方向としＸ方向を短手方向とする矩形状に形成されている。支持板６２ＤのＸ方向の長さ（幅）は、底板６２ＡのＸ方向の長さと同じ長さである。支持板６２ＤのＺ方向の長さは、引出部材６２を空間部２９に収納した状態において、支持板６２ＤのＺ方向の手前側端部が、前板３２Ａ（図４（Ａ）参照）よりもＺ方向の奥側に位置する長さとされている。
【００６８】
支持板６２ＤにおけるＺ方向の手前側端部には、操作部７２が形成されている。操作部７２は、一例として、支持板６２ＤからＹ方向に直立した板状の部位であり、図示しない使用者により把持される把持部として構成されている。
【００６９】
図７（Ｂ）に示すように、底板６２Ａは、一対のガイドレール６８により挟まれているため、Ｘ方向の移動が規制される。これにより、引出部材６２は、空間部２９（図７（Ａ）参照）からＺ方向の手前側に一方向（Ｚ方向）に引き出し可能となっている。なお、空間部２９における後板６２ＢよりもＺ方向の奥側の部位には、図示しないストッパが設けられている。
【００７０】
＜手前側引出部材＞
図７（Ａ）に示すように、手前側引出部材６４は、底板６４Ａ、後板６４Ｂ、前板６４Ｃ、及び一対の側板６４Ｄにより構成されており、Ｙ方向の上側に開口した箱状に形成されている。また、手前側引出部材６４には、後述する一対の被案内部材７４が取付けられている。
【００７１】
底板６４Ａは、Ｙ方向に見て、Ｚ方向を長手方向としＸ方向を短手方向とする矩形状に形成されている。また、底板６４ＡのＺ方向の長さは、支持板６２ＤのＺ方向の長さよりも短い。底板６４ＡのＸ方向の長さは、支持板６２ＤのＸ方向の長さとほぼ同じ長さとされている。
【００７２】
後板６４Ｂは、底板６４ＡのＺ方向の奥側端部からＹ方向に沿って直立している。また、後板６４Ｂは、底板６４ＡのＺ方向の奥側端部よりもＹ方向の下側へ延びている。さらに、後板６４ＢのＹ方向の高さは、支持板６２Ｄに手前側引出部材６４を載せたときに、後板６４ＢのＹ方向の上面が、縦板６２ＣのＹ方向の上面よりも高い位置となる高さとされている。
【００７３】
前板６４Ｃは、底板６４ＡのＺ方向の手前側端部からＹ方向の上側及び下側に延びている。前板６４ＣのＹ方向の上面と、後板６４ＢのＹ方向の上面とは、ほぼ同じ高さに揃えられている。また、前板６４ＣのＹ方向の下面から底板６４ＡのＹ方向の下面までの高さは、支持板６２ＤのＹ方向の下面から操作部７２の上面までの高さとほぼ同じにされている。これにより、支持板６２Ｄに手前側引出部材６４を載せた状態で、手前側引出部材６４をＺ方向の奥側へ押込んだときに、操作部７２が前板６４Ｃによって覆われるようになっている。前板６４ＣのＺ方向の手前側の面には、取手４９が設けられている。
【００７４】
一対の側板６４Ｄは、底板６４ＡのＸ方向の両端部からＹ方向に直立しており、Ｘ方向に対向している。また、一対の側板６４ＤのＹ方向の高さは、後板６４Ｂ、前板６４ＣのＹ方向の高さと揃えられている。さらに、一対の側板６４Ｄは、後板６４ＢのＸ方向両端部と前板６４ＣのＸ方向両端部とを繋いでいる。このように、手前側引出部材６４は、Ｙ方向の上側に開口した箱状に形成されており、内部に台所用品等を収納可能となっている。
【００７５】
一対の側板６４ＤにおけるそれぞれＸ方向の外側の面には、Ｚ方向に沿って一対の被案内部材７４が取付けられている。一対の被案内部材７４は、一例として、それぞれＺ方向に長尺で四角柱状の部材である。また、一対の被案内部材７４は、前板６４Ｃ付近から後板６４ＢよりもＺ方向の奥側へ延びている。さらに、一対の被案内部材７４は、既述のガイドレール６６によって支持され、Ｚ方向に案内される。
【００７６】
＜規制部材＞
図７（Ａ）に示すように、空間部２９には、規制部材７８が設けられている。具体的には、天板２２ＣのＹ方向の下部における手前側引出部材６４とＹ方向に対向する部位でかつ前板６４ＣよりもＺ方向の奥側に位置する部位に、穴部７６が形成されている。そして、穴部７６の内側には、規制部材７８の後述する頭部７８Ａが、Ｙ方向に移動可能に収められている。穴部７６は、一例として、Ｙ方向の下側に向けて開口すると共にＹ方向を軸方向として延びる円筒状に形成されている。また、穴部７６は、Ｙ方向の下端の開口部分が他の部位よりも縮径されており、この開口部分に規制部材７８の後述する頭部７８Ａが接触することで、規制部材７８の落下を防いでいる。
【００７７】
規制部材７８は、一例として、Ｙ方向を厚さ方向とする円板状の頭部７８Ａと、頭部７８ＡのＹ方向の下面の中央部から下側へ延びる円柱状の軸部７８Ｂとを有する。軸部７８Ｂは、Ｙ方向を軸方向として延びている。また、軸部７８ＢのＹ方向の長さは、頭部７８Ａと穴部７６の開口部分とが接触する状態において、軸部７８Ｂが天板２２ＣよりもＹ方向の下側へ突出する長さとされている。さらに、軸部７８ＢのＹ方向の長さは、手前側引出部材６４の後板６４Ｂの手前側の面と接触する長さとされている。なお、軸部７８ＢのＹ方向の下端部でかつＺ方向の中央よりも手前側の部位には、Ｘ方向に見て、Ｚ方向の手前側に向けて斜め上方に延びるテーパ面が形成されている。手前側引出部材６４をＺ方向の奥側に押込んだ場合には、このテーパ面と手前側引出部材６４とが接触することで、規制部材７８にＹ方向の上側に向かう力が付与され、規制部材７８が穴部７６に進入する。
【００７８】
ここで、軸部７８Ｂと後板６４Ｂが接触する位置であり、手前側引出部材６４がＺ方向に予め設定された設定長さ以上に引出されるのを規制する位置を、規制位置と称する。また、軸部７８Ｂが穴部７６の内側に収められ、軸部７８Ｂが手前側引出部材６４と接触しなくなり、引出部材６２及び手前側引出部材６４がＺ方向に引出し可能となる位置を、解除位置と称する。つまり、規制部材７８は、Ｙ方向に沿って、規制位置と解除位置とに移動可能とされている。また、規制部材７８が規制位置にある状態で、規制部材７８と引出部材６２は接触しないようになっている。
【００７９】
＜浄水器カートリッジの設置＞
図７（Ａ）に示すように、被接続部４３に接続部４２Ｂが螺合され、本体部４２Ａが板バネ４７に嵌められることにより、浄水器カートリッジ４２が載置部７０に載置される。続いて、引出部材６２が、ガイドレール６８によりＺ方向に案内され、Ｚ方向の奥側に押込まれる。続いて、後板６４Ｂの下端部が操作部７２よりもＺ方向の奥側に配置される。さらに、規制部材７８がＹ方向の上側に移動された状態で、後板６４Ｂの上端部が規制部材７８よりもＺ方向の奥側に配置される。そして、手前側引出部材６４が、ガイドレール６６によりＺ方向に案内され、Ｚ方向の奥側に向けて押込まれる。これにより、浄水器カートリッジ４２よりも手前側に、手前側引出部材６４が設けられる。
【００８０】
ここで、Ｚ方向に見て、操作部７２が手前側引出部材６４により覆われる。このため、操作部７２がＺ方向の手前側に露出する構成に比べて、流し台ユニット１２の意匠性の低下が抑制される。なお、手前側引出部材６４は、引出部材６２に対してＺ方向に相対移動が可能となっているので、手前側引出部材６４のみをＺ方向に引出し又は押込みできる。
【００８１】
〔作用〕
次に、第２実施形態の作用について説明する。
【００８２】
＜手前側引出部材の使用＞
図８（Ａ）に示すように、浄水器カートリッジ４２の交換作業を行わない場合（通常使用時）には、取手４９が把持され、手前側引出部材６４がＺ方向の手前側に引出され、台所用品等の出し入れが行われる。ここで、規制部材７８が自重により降下して規制位置に配置されているので、手前側引出部材６４全体をＺ方向の手前側に引出そうとしたときに、後板６４Ｂと規制部材７８とが接触する。これにより、手前側引出部材６４が設定長さ以上に引出されることが規制されるので、通常使用時において、手前側引出部材６４を手前側に引出した場合に、手前側引出部材６４が空間部２９から外れるのを抑制することができる。また、手前側引出部材６４が空間部２９から外れることが抑制されることにより、引出部材６２が空間部２９から外れるのを抑制することができる。なお、図８（Ａ）、（Ｂ）、（Ｃ）では、シンク２４及び浄水器２８（図３参照）の図示を省略している。
【００８３】
＜浄水器カートリッジの交換＞
浄水器カートリッジ４２を交換する場合は、取手４９が把持され、手前側引出部材６４がＺ方向の手前側に一方向に引出される。続いて、後板６４Ｂと規制部材７８とが接触した後で、規制部材７８が手動によりＹ方向の上側に押上げられる。そして、図８（Ｂ）、（Ｃ）に示すように、規制部材７８が上側に押上げられた状態で、手前側引出部材６４が手前側に引かれると、規制部材７８が後板６４Ｂを乗り越える。これにより、手前側引出部材４６全体を手前側に引出すことができる。また、後板６４Ｂと操作部７２とが接触するので、手前側引出部材６４を手前側に引出し続けると、引出部材６２も手前側に引出される。
【００８４】
続いて、手前側引出部材６４が取除かれると、操作部７２が露出される。そして操作部７２が引出し操作されることで、引出部材６２が空間部２９から手前側に一方向に引出される。これにより、浄水器カートリッジ４２がＺ方向の手前側に露出され、浄水器カートリッジ４２の取外しが可能となる。そして、第１実施形態と同様の手順により、浄水器カートリッジ４２の交換が行われる。
【００８５】
以上、説明したように、浄水器カートリッジの設置構造６０では、引出部材６２を一方向に引出し又は押入れることで浄水器カートリッジ４２が交換される。このため、浄水器カートリッジ４２を複数の方向に移動して交換する構成に比べて、浄水器カートリッジ４２の交換作業を簡単に行うことができる。また、浄水器カートリッジの設置構造６０では、大型のキャビネット３２（図１参照）を手前側に引出すことなく、浄水器カートリッジ４２を単独で交換できるので、浄水器カートリッジ４２の交換作業を簡単に行うことができる。
【００８６】
さらに、浄水器カートリッジの設置構造６０では、空間部２９を利用して浄水器カートリッジ４２を設置しているため、浄水器カートリッジ４２がキャビネット３２（図１参照）の一部の空間を占有することがなくなる。これにより、キャビネット３２の内部に浄水器カートリッジ４２を設置する構成に比べて、キャビネット３２の収納量が減るのを抑制することができる。また、浄水器カートリッジの設置構造６０では、手前側引出部材６４を物品の収容場所として活用できるので、空間部２９の空き空間を有効利用することができる。
【００８７】
加えて、浄水器カートリッジの設置構造６０では、浄水器カートリッジ４２の交換作業を行う場合に、規制部材７８を手動で解除位置に移動させればよい。このため、モータ等の駆動手段を用いて規制部材７８を移動させる構成に比べて、簡単な構成で引出部材６２及び手前側引出部材６４を手前側に引出すことができる。
【００８８】
なお、本発明は上記の実施形態に限定されない。
【００８９】
＜第１変形例＞
図９（Ａ）には、第１変形例として、対面型のシステムキッチン１０に設けられた浄水器カートリッジの設置構造８０が示されている。浄水器カートリッジの設置構造８０は、引出部材８２を有している。引出部材８２は、Ｙ方向の上側に開口した箱状に形成されており、内側に載置部５０が形成されている。そして、載置部５０には、浄水器カートリッジ４２が載置されている。
【００９０】
また、引出部材８２には、被接続部４３が設けられている。さらに、引出部材８２は、Ｙ方向の奥側（Ｙ方向の奥側から引出部材８２を見た場合の手前側）に引出されるようになっている。このように、対面型のシステムキッチン１０では、キャビネット３２が引出される側とは反対側に引出部材８２を引出すように構成してもよい。なお、図９（Ａ）において、キャビネット３２の上側に示されている部材は、台所用品等を入れる収納部材８４である。
【００９１】
＜第２変形例＞
図９（Ｂ）には、第２変形例として、引出部材９２を有する浄水器カートリッジの設置構造９０が示されている。引出部材９２は、第１実施形態の引出部材４４と手前側引出部材４６（図３参照）とが一体化された構成とされており、載置部５０と、載置部５０よりもＺ方向の手前側に配置された収納部９４とを有する。載置部５０と収納部９４とは、仕切壁９６によって仕切られている。引出部材９２の全体の質量が、引出し操作に対して問題無い程度の質量である場合は、このように、引出部材と手前側引出部材とを一体化させた構成としてよい。
【００９２】
＜他の変形例＞
浄水器カートリッジの設置構造４０において、手前側引出部材４６を取除いて、縦板４４Ｃを底板４４ＡのＺ方向の手前側端部に直立させた引出部材を用いてもよい。
【００９３】
浄水器カートリッジの設置構造６０において、手前側引出部材６４を取除いて、縦板６２Ｃを底板６２ＡのＺ方向の手前側端部に直立させた引出部材を用いてもよい。さらに、浄水器カートリッジの設置構造６０において、規制部材７８を取除いて、操作部７２と引出部材６２との接触により、手前側引出部材６４の過剰な引出しを抑制してもよい。
【００９４】
浄水器カートリッジの設置構造４０、６０、８０、９０を適用する場所は、システムキッチン１０に限らず、例えば、洗面台であってもよい。
【００９５】
浄水器カートリッジ４２は、Ｙ方向に沿って配置したときの高さが低い場合（小さい場合）は、横置きタイプのものに限らず、Ｙ方向に沿った縦置きタイプのものであってもよい。
【符号の説明】
【００９６】
１２  流し台ユニット
２２Ｂ  側板
２２Ｃ  天板
２４  シンク（流し台の一例）
２８  浄水器
２９  空間部
４０  浄水器カートリッジの設置構造
４２  浄水器カートリッジ
４４  引出部材
４６  手前側引出部材
５０  載置部
６０  浄水器カートリッジの設置構造
６２  引出部材
６４  手前側引出部材
７０  載置部
７８  規制部材
８０  浄水器カートリッジの設置構造
８２  引出部材
９０  浄水器カートリッジの設置構造
９２  引出部材
９４  手前側引出部材
【図１】
2018009424.tif 000003
【図２】
2018009424.tif 000004
【図３】
2018009424.tif 000005
【図４】
2018009424.tif 000006
【図５】
2018009424.tif 000007
【図６】
2018009424.tif 000008
【図７】
2018009424.tif 000009
【図８】
2018009424.tif 000010
【図９】
2018009424.tif 000011